(57)【要約】【課題】設置位置の自由度を高めて容易に施工することができる手摺付き台座を得る。【解決手段】手摺付き台座４０は、壁面２４Ａと床面１８Ａに接触し、少なくとも床面１８Ａに固定された台座部４２と、台座部４２の上面から建物上方側へ延出された手摺部５６を備えている。また、この手摺部５６の端部は、補強部６０と連結されている。補強部６０は、手摺部５６は、台座部４２の上面から壁面２４Ａに沿って建物上方側へ延出された縦辺部６２と、天井面２３に沿って延出されると共に先端部が手摺部５６の上端部と連結された上辺部６６と、縦辺部６２と上辺部６６とが交差する部位に設けられ、壁面２４Ａと天井面２３とが取り合う隅部３８によって支持された角部６４と、を含んでいる。【選択図】図１
2020174959.tif 000002
【特許請求の範囲】
【請求項１】
壁面と床面に接触し、少なくとも前記床面に固定された台座部と、
前記台座部の上面から建物上方側へ延出された手摺部と、
前記台座部の前記上面から前記壁面に沿って建物上方側へ延出された縦辺部と、天井面に沿って延出されると共に先端部が前記手摺部の上端部と連結された上辺部と、該縦辺部と該上辺部とが交差する部位に設けられ、前記壁面と天井面とが取り合う隅部によって支持された角部と、を含む補強部と、
を有する手摺付き台座。
【請求項２】
前記補強部の前記縦辺部は、前記壁面の内側に配置された壁下地材に固定されている、
請求項１に記載の手摺付き台座。
【請求項３】
前記壁下地材は、建物上下方向に所定の間隔を空けて配置された複数の横桟を含んで構成され、
前記縦辺部は、前記横桟に固定されている、
請求項２に記載の手摺付き台座。
【請求項４】
前記台座部は、前記床面に固定された筐体状の台座本体部と、該台座本体部の上に固定され、略水平方向に沿って延在された天板状に形成されると共に平面視で前記台座本体部の外形線よりも外側に位置する外縁部を有する台部と、を含んで構成され、
前記手摺部は、前記外縁部の前記上面から建物上方側へ延出されている、
請求項１〜請求項３の何れか１項に記載の手摺付き台座。
【請求項５】
前記台座本体部は、玄関土間に隣接して設けられた床部の前記床面に固定されており、
前記台部は、前記上面に着座可能とされ、
前記台部の前記外縁部は、平面視で前記玄関土間側に凸をなす円弧状に形成され、かつ、前記玄関土間と前記床部に跨って配置された誘導部を含んで構成されている、
請求項４に記載の手摺付き台座。
【請求項６】
前記手摺部と前記補強部の前記縦辺部との間は、前記台座部の前記上面と前記上辺部の間に架け渡されて建物上下方向に延在する複数の縦桟によって格子状に形成されている、
請求項１〜請求項５の何れか１項に記載の手摺付き台座。
【発明の詳細な説明】
【技術分野】
【０００１】
本発明は、手摺付き台座に関する。
【背景技術】
【０００２】
特許文献１には、玄関土間と隣接する床面に手摺付き台座（椅子付き手摺）を配置する構成が開示されている。この手摺付き台座では、建物上下方向に延在する手摺部の下端部が台座に固定されている。また、手摺部の中間部と上端部が、壁面にそれぞれ固定されている。
【先行技術文献】
【特許文献】
【０００３】
【特許文献１】特開２００６−２９９５８３号公報
【０００４】
ところで、上記先行技術に記載の手摺付き台座を設置する場合、壁面に固定される手摺部の上端部と中間部の強度を確保するために、手摺部を、壁面の内側に配置された壁下地材に対して固定する必要があると考えられる。しかし、設置を希望する位置において、手摺部の上端部と中間部に対応する位置に必ずしも壁下地材が配置されているとは限らないため、設置位置に制限があるという点で容易に施工できない。よって、上記先行技術は、この点おいて改善の余地がある。
【発明の概要】
【発明が解決しようとする課題】
【０００５】
本発明は上記事実を考慮し、設置位置の自由度を高めて容易に施工することができる手摺付き台座を得ることが目的である。
【課題を解決するための手段】
【０００６】
第１の態様に係る手摺付き台座は、壁面と床面に接触し、少なくとも前記床面に固定された台座部と、前記台座部の上面から建物上方側へ延出された手摺部と、前記台座部の前記上面から前記壁面に沿って建物上方側へ延出された縦辺部と、天井面に沿って延出されると共に先端部が前記手摺部の上端部と連結された上辺部と、該縦辺部と該上辺部とが交差する部位に設けられ、前記壁面と天井面とが取り合う隅部によって支持された角部と、を含む補強部と、を有している。
【０００７】
第１の態様に係る手摺付き台座では、台座部と、台座部の上面から建物上方側へ延出された手摺部とを備えている。この手摺部の下端部は、床面に固定された台座部によって強固に支持されている。また、手摺部の上端部は、補強部に連結されることにより、天井面と壁面、台座部によって強固に支持されている。すなわち、天井面に沿って延出された上辺部が天井面に支持され、壁面に沿って延出された縦辺部が台座部によって建物下方側から強固に支持されている。更に、上辺部と縦辺部とが交差する角部が天井面と壁面が取り合う隅部によって強固に支持されている。これにより、上辺部の先端部に連結された手摺部の上端部が、天井面と壁面、台座部によって強固に支持されている。
【０００８】
このように、手摺部が壁面の内側に配置された壁下地材に依存することなく、台座部と補強部を介して床面、壁面、天井面に強固に支持されているため、手摺部の設置位置の自由度を高めることができる。
【０００９】
第２の態様に係る手摺付き台座は、第１の態様に記載の構成において、前記補強部の前記縦辺部は、前記壁面の内側に配置された壁下地材に固定される構成とされている。
【００１０】
第２の態様に係る手摺付き台座では、補強部の縦辺部が壁下地材に固定されているため、壁面による補強部の支持剛性が増し、補強部によって手摺部を一層強固に支持することができる。
【００１１】
第３の態様に係る手摺付き台座は、第２の態様に記載の構成において、前記壁下地材は、建物上下方向に所定の間隔を空けて配置された複数の横桟を含んで構成され、前記縦辺部は、前記横桟に固定されている。
【００１２】
第３の態様に係る手摺付き台座では、補強部の縦辺部が壁下地材を構成する複数の横桟に固定されており、複数の横桟は、建物上下方向に所定の間隔を空けて配置されている。これにより、建物上方側に延出された縦辺部を床下地材に複数点で固定することができるため、壁面による補強部の支持剛性を効果的に高めることができる。更に、手摺付き台座の設置位置は、横桟の長手方向に沿って（壁面に沿って）移動させる限り同様の固定構造を採用することができる。その結果、手摺部の設置位置の自由度を高めつつ手摺部の取付け強度を高めることができる。
【００１３】
第４の態様に係る手摺付き台座は、第１の態様〜第３の態様の何れか１態様に記載の構成において、前記台座部は、前記床面に固定された筐体状の台座本体部と、該台座本体部の上に固定され、略水平方向に沿って延在された天板状に形成されると共に平面視で前記台座本体部の外形線よりも外側に位置する外縁部を有する台部と、を含んで構成され、前記手摺部は、前記外縁部の前記上面から建物上方側へ延出されている。
【００１４】
第４の態様に係る手摺付き台座では、台座部の上に天板状の台部が固定されているため、台部を建物上下方向の所定の高さに設定することにより、例えば、台部を腰かけ用の座面として利用したり、スタンドテーブルとして利用したりすることができる。
【００１５】
ここで、台部は、平面視で前記台座本体部の外形線よりも外側に位置する外縁部を有する大きさとされているため、台部の上面の面積が拡大されて腰かけやスタンドテーブルとしての利用者の利便性を高めることができる。更に、手摺部が外縁部の上面から建物上方側へ延出されているため、手摺部の位置が台部の利用者側へオフセットされ、手摺部を容易に掴むことができる。
【００１６】
第５の態様に係る手摺付き台座は、第４の態様に記載の構成において、前記台座本体部は、玄関土間に隣接して設けられた床部の前記床面に固定されており、前記台部は、前記上面に着座可能とされ、前記台部の前記外縁部は、平面視で前記玄関土間側に凸をなす円弧状に形成され、かつ、前記玄関土間と前記床部に跨って配置された誘導部を含んで構成されている。
【００１７】
第５の態様に係る手摺付き台座では、台座本体部が腰かけとして玄関土間に隣接して設けられた床部の床面に固定されており、台部に着座可能とされている。従って、利用者は、台部に着座した状態で、玄関土間に用意された履物を脱いだり履いたりすることができる。また、台部に着座する際や台部から立ち上がる際に、手摺部を使って利用者の移動を容易にすることができる。
【００１８】
また、台部の外縁部が玄関土間と床部に跨って配置された誘導部を含む構成とされているため、例えば、床部にいた利用者が台部に着座した後、誘導部に沿って体を玄関土間側へ反転させると、利用者の脚部を玄関土間の上に移動させることができ、履物を履きやすい。更に、誘導部が平面視で玄関土間側に凸をなす円弧状に形成されているため、台部に着座した利用者が体を反転させる際に、脚部が台部の縁に引っ掛かることなくスムーズに移動される。よって、この点においても利便性が向上されている。
【００１９】
第６の態様に係る手摺付き台座は、第１の態様〜第５の態様の何れか１態様に記載の構成において、前記手摺部と前記補強部の前記縦辺部との間は、前記台座部の前記上面と前記上辺部の間に架け渡されて建物上下方向に延在する複数の縦桟によって格子状に形成されている。
【００２０】
第６の態様に係る手摺付き台座では、台座部の上面と補強部の上辺部の間に架け渡された複数の縦桟によって、上辺部の支持強度が増すため、手摺部の取付け強度が一層向上される。
【発明の効果】
【００２１】
以上説明したように、第１の態様に係る手摺付き台座によれば、設置位置の自由度を高めて容易に施工することができるという優れた効果を有する。
【００２２】
第２の態様に係る手摺付き台座によれば、補強部によって手摺部を一層強固に支持することができるという優れた効果を有する。
【００２３】
第３の態様に係る手摺付き台座によれば、手摺部の設置位置の自由度を高めつつ手摺部の取付け強度を高めることができるという優れた効果を有する。
【００２４】
第４の態様に係る手摺付き台座によれば、腰かけやスタンドテーブルとしての利便性を高めると共に、手摺部を容易に掴むことができるという優れた効果を有する。
【００２５】
第５の態様に係る手摺付き台座によれば、玄関土間における履物の脱ぎ履きを容易にすることができるという優れた効果を有する。
【００２６】
第６の態様に係る手摺付き台座によれば、手摺部の取付け強度をより一層向上させることができるという優れた効果を有する。
【図面の簡単な説明】
【００２７】
【図１】（Ａ）は、本実施形態に係る手摺付き台座の正面図であり、（Ｂ）は、図１（Ａ）に示す領域Ｐの拡大図である。
【図２】図１（Ａ）に示す手摺付き台座の側面図である。
【図３】図１（Ａ）に示す壁面の内側に配置された壁下地材を概略的に示す図２に対応する側面図である。
【図４】図１（Ａ）に示す手摺付き台座が取り付けられた建物の玄関部を概略的に示す平面図である。
【図５】本実施形態に係る手摺付き台座の変形例１を示す図１に対応する正面図である。
【図６】本実施形態に係る手摺付き台座の変形例２を示す図１に対応する正面図である。
【発明を実施するための形態】
【００２８】
以下、図１〜図４を用いて、本実施形態に係る手摺付き台座４０（以下、単に「台座４０」という。）について説明する。
【００２９】
図４には、台座４０が設置された建物１０の玄関部１２が平面図にて示されている。この図に示されるように、建物１０の玄関部１２は、建物１０の主要な出入口とされる玄関口１４と、玄関口１４の屋内側に設けられた玄関土間１６を備えている。また、この玄関土間１６よりも屋内側に廊下１８が設けられている。本実施形態では、玄関土間１６と廊下１８は、建物１０の外壁２０と、玄関部１２と隣接する居室２２との間を仕切る間仕切壁２４との間に形成されている。また、玄関土間１６の床高は、廊下１８の床面１８Ａよりも低くなるように形成されている（図２参照）。
【００３０】
また、間仕切壁２４は、壁面２４Ａの内側に配置された壁下地材２６を備えている。壁下地材２６は、格子枠状をなす複数の下地フレーム２８を壁面２４Ａに沿って並べることにより構成されている（図３参照）。
【００３１】
図３に示されるように、下地フレーム２８は、建物上下方向を長手方向とし、所定の間隔を空けて平行に配置された一対の縦枠３０と、一対の縦枠３０の上端部を連結する上枠３２と、一対の縦枠３０の下端部を連結する下枠３４と、を備えている。更に、上枠３２と下枠３４の間には、建物上下方向に所定の間隔を空けて配置された複数（本実施形態では４つ）の横桟３６が一対の縦枠３０間に架け渡されている。このようにして、下地フレーム２８は、正面視で矩形状をなす格子枠状に形成されている。なお、図３では、説明の便宜上、単一の下地フレーム２８のみを図示している。
【００３２】
（本発明の要部）
図１及び図２に示されるように、台座４０は、廊下１８の玄関土間１６に面した一端に設けられた台座部４２と、台座部４２の上面から立設された手摺部５６と、手摺部５６を支持する補強部６０とを含んで構成されている。
【００３３】
（台座部４２）
台座部４２は、台座本体部４４と、台座本体部４４の上に固定された台部４６とを含んで構成されている。台座本体部４４は、床面１８Ａに載置される底面４４Ａと、底面４４Ａの縁部から建物上方側に立設し、平面視で三方を囲う側面部４４Ｂを備えており、後述する台部４６が上方側から載置されると、廊下１８側に一方が開放された筐体状となる。
【００３４】
本実施形態では、この台座本体部４４の底面４４Ａ及び間仕切壁２４側の側面部４４Ｂが床面１８Ａ及び壁面２４Ａに接触した状態とされている。そして、床面１８Ａ及び壁面２４Ａにビス４８を用いて固定されている。なお、台座本体部を壁面には固定せず、床面のみに固定する構成としてもよい。
【００３５】
また、台座本体部４４の内部には、複数の棚板５２が取り付けられており、棚板５２の上に外履きの履物や屋内履きのスリッパ等が収納可能とされた収納部５０が形成されている。
【００３６】
図４に示されるように、台部４６は、略水平方向に沿って延在する天板状の板体として形成され、台座本体部４４の上に固定されている。台部４６は、平面視で略四分円状をなし、円弧状に形成された外縁部５４を有している。また、台部４６は、台座本体部４４よりも一回り大きく形成されると共に、外縁部５４の一端が、廊下１８を越えて玄関土間１６の上方側に張り出している。具体的には、台部４６は、四分円の中心に相当する角部が、台座本体部４４の屋内側の角部と重ね合わされており、一辺が間仕切壁２４の壁面２４Ａに接触している。これにより、台部４６の外縁部５４が、玄関土間１６及び廊下１８に面して配置されると共に、平面視で台座本体部４４の外形線よりも外側に配置されている。なお、以下の説明では、この外縁部５４において玄関土間１６側に面し、かつ、玄関土間１６と廊下１８の床部に跨って配置された部位を誘導部５４Ａと称する。
【００３７】
上記構成の台部４６は、台部を座面として腰かけるのに適した高さに設定されているため、台座４０は、収納部５０を備えた腰かけとしての機能を備えている。これにより、玄関部１２を出入りする居住者は、台部４６の上面に着座した楽な姿勢で履物を脱いだり履いたりすることができる構成となっている。
【００３８】
また、台部４６が玄関土間１６と廊下１８に跨って配置されているため、台部４６に着座した状態で体を反転させれば、楽な姿勢のまま着座者の脚部を廊下１８又は玄関土間１６へ移動させることができる構成となっている。更に、玄関土間１６と廊下１８に跨る誘導部５４Ａが平面視で円弧状をなし、移動中の脚部が引っ掛かりにくい形状とされる。従って、着座者が台座４０を用いて玄関土間１６と廊下１８を移動する際に煩わしさを与えない構成となっている。なお、図４には、壁面２４Ａに背中を向けて台部４６に着座した利用者の脚部位置を実線で示し、その後、体を反転させた利用者の脚部位置を二点鎖線で示している。
【００３９】
（手摺部５６）
図１（Ａ）に示されるように、手摺部５６は、建物上下方向を長手方向とし、上記構成の台部４６の上面から、建物上方側に延出されている。手摺部５６は、一例として長尺な円柱状に形成されており、下端部が台部４６の上面に図示しない固定具等を用いて固定されている。より詳細に説明すると、手摺部５６を玄関土間１６側、又は廊下１８側にいる居住者の近くに配置して掴み易くする観点から、手摺部が台部４６の外縁部５４の上面に当たる位置から建物上方側に延出されている。一方、手摺部５６の上端部は、廊下１８の天井面２３の近傍で後述する補強部６０の上辺部６６に連結されている。
【００４０】
（補強部６０）
補強部６０は、一例として長尺な複数の板材を組み付けて構成され、間仕切壁２４の壁面２４Ａと廊下１８の天井面２３に沿って延びる縦辺部６２と、角部６４と、上辺部６６と、によって、建物１０の正面視で逆Ｌ字状に形成されている。縦辺部６２は、台部４６の上面から間仕切壁２４の壁面２４Ａに沿って建物上方側へ延出されている。上辺部６６は、角部６４から天井面２３に沿って廊下１８側に延出されて、先端部が手摺部５６の上端部と連結されている。角部６４は、縦辺部６２と上辺部６６とが交差する部位に設けられている。
【００４１】
図１（Ｂ）に示されるように、補強部６０は、縦辺部６２が壁面２４Ａ及び台部４６の上面に当接して支持されており、角部６４が壁面２４Ａと天井面２３とが取り合う隅部３８によって支持され、上辺部６６が、天井面に当接して支持されている。これにより、手摺部５６が、台座本体部４４及び補強部６０を介して廊下１８の床面１８Ａ、壁面２４Ａ、天井面２３で強固に支持されている。
【００４２】
更に、図１（Ａ）及び図３に示されるように、本実実施形態では、補強部６０を介した手摺部５６の取付け強度を高めるために、補強部６０の縦辺部６２が、上述した壁下地材２６の下地フレーム２８にビス４８を用いて固定されている。具体的には、壁面２４Ａに沿って縦辺部６２を配置した後、下地フレーム２８の横桟３６を狙ってビス４８が打ち込まれている。これにより、縦辺部６２が横桟３６に固定されている。また、固定点は、等間隔のピッチで配置された複数の横桟３６に対応して、建物上下方向に複数設けられている。なお、台座４０の設置位置によって、補強部６０が下地フレーム２８の縦枠３０と重なる位置に配置される場合が想定されるが、この場合は、縦辺部６２を縦枠３０に固定すればよい。
【００４３】
このように、縦辺部６２を下地フレーム２８の横桟３６に固定する構成によれば、台座４０の設置位置を壁面２４Ａに沿って移動させても移動方向に沿って横桟３６が途切れることなく配置されているため、固定部の強度を確保しつつ設置することができる。すなわち、壁下地材２６の配置に依存することなく補強部６０を設置し、手摺部５６の取付け強度を高めることができる構成となっている。
【００４４】
また、図１（Ａ）及び図４に示されるように、台部４６の上面と補強部６０の上辺部６６との間には、建物上下方向に長尺に延在する複数の縦桟６８が架け渡されている。これにより、上辺部６６が天井面２３に加えて縦桟６８によって支持されるため、手摺部５６の取付け強度が高められる構成となっている。また、上記構成の縦桟６８は、台部４６の着座者の背中を支持する背もたれとしての機能を備えている。
【００４５】
更に、上記構成の縦桟６８により、手摺部５６と縦辺部６２との間が格子状に形成されている。これにより、台座４０は、手摺部５６、補強部６０、縦桟６８が一体となって玄関土間１６と廊下１８を仕切る間仕切りとして機能すると共に、縦桟６８の間から屋内側の空間の広がりを適度に感じる構成となっている。
【００４６】
（作用・効果）
次に、本実施形態の作用並びに効果について説明する。
【００４７】
本実施形態では、台座４０が腰かけとして玄関土間１６に隣接して設けられた廊下１８の床部の床面１８Ａに固定されており、台部４６の上に着座可能とされている。従って、利用者は、台部４６に着座した状態で、玄関土間１６に用意された履物を脱いだり履いたりすることができる。また、台部４６に着座する際や台部４６から立ち上がる際に、手摺部５６を使って利用者の移動を容易にすることができる。
【００４８】
ここで、本実施形態では、手摺部５６の下端部は、床面１８Ａに固定された台座部４２によって強固に支持されている。また、手摺部５６の上端部は、補強部６０に連結されることにより、天井面２３と間仕切壁２４の壁面２４Ａ、台座部４２によって強固に支持されている。具体的には、上辺部６６が天井面２３に支持され、縦辺部６２が台座部４２によって建物下方側から支持され、上辺部６６と縦辺部６２とが連結する角部６４が天井面２３と壁面２４Ａが取り合う隅部３８によって強固に支持されている。
【００４９】
このように、手摺部５６が壁面２４Ａの内側に配置された壁下地材２６に依存することなく、台座部４２と補強部６０を介して床面１８Ａ、壁面２４Ａ、天井面２３に強固に支持されているため、手摺部５６の設置位置の自由度を高めることができる。これにより、新築時に加えてリフォーム時にも、大掛かりな工事を要することなく台座４０を容易に設置することができる。
【００５０】
また、本実施形態では、補強部６０の縦辺部６２が壁下地材２６に固定されているため、壁面２４Ａによる補強部６０の支持剛性が増し、補強部６０によって手摺部５６を一層強固に支持することができる。
【００５１】
更に、本実施形態では、補強部６０の縦辺部６２が壁下地材２６を構成する複数の横桟３６に固定されているため、建物上方側に延出された縦辺部６２を壁下地材２６に複数点で固定することができる。これにより、壁面２４Ａによる補強部６０の支持剛性を効果的に高めることができ、更に、台座４０の設置位置は、横桟３６の長手方向に沿って（壁面２４Ａに沿って）移動させる限り同様の固定構造を採用することができる。その結果、手摺部５６の設置位置の自由度を高めつつ手摺部５６の取付け強度を高めることができる。
【００５２】
また、本実施形態では、台座４０の上面を構成する台部４６は、平面視で台座本体部４４の外形線よりも外側に位置する外縁部５４を有する大きさとされている。このため、台部４６の上面の面積が拡大されて腰かけの座面としての利用者の利便性を高めることができる。更に、手摺部５６が外縁部５４の上面から建物上方側へ延出されているため、手摺部５６の位置が台部４６の利用者側へオフセットされ、手摺部５６を容易に掴むことができる。また、台部４６に着座した状態では、手摺部５６を掴みながら、履物を脱ぎ履きする際の前傾姿勢がつくり易い。
【００５３】
更に、台部４６の外縁部５４が玄関土間１６と廊下１８に跨って配置された誘導部５４Ａを含む構成とされているため、台部４６に着座した利用者が、誘導部５４Ａに沿って体を反転させることにより、その脚部を玄関土間１６と廊下１８の間で移動させ易い。このため、履物の脱ぎ履きを容易に行うことができる。更に、誘導部５４Ａは、平面視で玄関土間１６側に凸をなす円弧状に形成されているため、台部４６に着座した利用者が体を反転させる際に脚部を台部４６に引っ掛けることなくスムーズに移動させることができる。
【００５４】
また、本実施形態では、台部４６の上面と補強部６０の上辺部６６の間に架け渡された複数の縦桟６８によって、上辺部６６の支持強度が増すため、手摺部５６の取付け強度をより一層向上させることができる。
【００５５】
また、本実実施形態では、縦桟６８が背もたれとなって台部４６に着座した利用者の背中を支持することができるため、手摺部５６と合わせて利用者の移動を効果的に助ける補助器具を提供することができ、利便性の向上に寄与することができる。
【００５６】
また、手摺部５６、補強部６０、縦桟６８が一体となって間仕切の役割を呈するため、玄関部１２のプライバシーを確保できる。一方で、縦桟６８の間から屋内側の空間の広がりを感じることができ、省スペースに玄関部を設ける建物においても、利用者に開放感を与えることができる。
【００５７】
（変形例１）
次に、図５を用いて、第１実施形態の変形例１に係る手摺付き台座７０について説明する。この手摺付き台座７０では、台座部７２の台部７４が上記実施形態に記載の台部４６よりも建物上方側に位置しており、テーブルの天板とされている。このように、本変形例１では、手摺付き台座７０が、収納部５０を備えるスタンドテーブルとして構成されている。当該構成によれば、玄関部で履物を脱いだり履いたりする際に利用者が手摺部５６又は台部７４を支えにして前傾姿勢へと移行することができ、誤って転倒するといった事態を避けることができる。その他の構成は、基本的に上述した実施形態と同様であるため、同様の作用並びに効果を奏する。
【００５８】
（変形例２）
次に、図６を用いて、第１実施形態の変形例２に係る手摺取付け構造８０について説明する。この手摺取付け構造８０は、廊下１８の床面１８Ａから建物上方側に延出された手摺部８２の上端部と下端部が、固定用基部８４と補強部８６によって支持されている。固定用基部８４は、長尺な板材とされ、廊下１８の床面にビス４８を用いて固定されている。この固定用基部８４は、長手方向の一端が壁面２４Ａに突き当たって配置され、長手方向の他端が手摺部８２の下端部に連結されている。
【００５９】
一方、補強部８６は、壁面２４Ａに沿って建物上方側に延出された縦辺部８８と天井面２３に沿って配置された上辺部９２と、縦辺部８８と上辺部９２とが交差する部位に設けられた角部９０を備えている。この縦辺部８８、角部９０、上辺部９２は、上述した本実施形態の縦辺部６２、角部６４、上辺部６６に相当する。但し、本変形例２においては、縦辺部８８の下端部が固定用基部８４の壁面２４Ａ側の一端に連結されている。
【００６０】
上記構成によれば、手摺部８２が固定用基部８４と補強部８６を介して床面１８Ａ、壁面２４Ａ、天井面２３から強固に支持されている。また、手摺部８２が固定用基部８４及び補強部８６と一体をなす矩形フレーム部材の一部を構成するため、全体として剛性が高められている。更に、固定用基部８４と上辺部９２によって手摺部８２を壁面２４Ａから所定の距離だけ離間させることができるため、利用者が手摺部８２を掴みながら身体全体を手摺部８２に沿わせることができる。その結果、手摺部８２を支えにして身体を反転させやすく、廊下１８から玄関部１２へ容易に移動することができる。
【００６１】
[補足説明]
【００６２】
上記実施形態及び各変形例では、補強部６０、８６の縦辺部６２、８８が壁下地材２６に固定される構成としたが、本発明はこれに限らず、縦辺部が壁下地材に固定されない構成としてもよい。
【００６３】
また、上記実施形態及び各変形例では、縦辺部６２、８８が格子枠状に形成された下地フレーム２８に固定される構成としたが、本発明はこれに限らない。例えば、筋交いのように鉛直方向に対して斜めに配置された壁下地材に縦辺部を固定してもよい。
【００６４】
上記実施形態及び変形例１では、手摺部５６を台部４６、７４の外縁部５４の上面から建物上方側に延出させる構成としたが、本発明はこれに限らず、外縁部よりも内側に位置する台部の上面から建物上方側へ延出させてもよい。
【００６５】
また、上記実施形態及び変形例１では、台部４６に平面視で台座本体部４４の外側に配置された外縁部５４を設ける構成としたが、本発明はこれに限らず、外縁部を設けない構成としてもよい。
【００６６】
上記実施形態では補強部６０に縦桟６８が取り付けられる構成としたが、本発明はこれに限らず、縦桟を備えない構成としてもよい。一方、各変形例においては、これとは逆に、補強部６０、８６に縦桟を設ける構成としてもよい。
【００６７】
上記実施形態では、手摺付き台座４０が玄関土間１６と住空間である廊下１８との境に配置される構成としたが、本発明はこれに限らない。例えば、手摺付き台座を浴室の浴槽と洗い場の境に設ける構成としてもよい。この場合、利用者が台部に着座した状態で、浴槽内と洗い場をスムーズに移動することができる。
【符号の説明】
【００６８】
４０    手摺付き台座
２４Ａ  壁面
１８Ａ  床面  
２３    天井面
４２    台座部
４４    台座本体部
４６    台部
５４    外縁部
５４Ａ  誘導部
５６    手摺部
６０    補強部
６２    縦辺部
６４    角部
６６    上辺部
３８    隅部
２６    壁下地材
３６    横桟
６８    縦桟
７０    手摺付き台座
７２    台座部
７４    台部
【図１】
2020174959.tif 000003
【図２】
2020174959.tif 000004
【図３】
2020174959.tif 000005
【図４】
2020174959.tif 000006
【図５】
2020174959.tif 000007
【図６】
2020174959.tif 000008